(57)【要約】      （修正有）【課題】銀行通帳等の取引記載を読み取ることができるとともに、預金通帳の磁気ストライブの書き込み情報を読み取り不可能に穿孔できる穿孔装置及び穿孔方法を提供する。【解決手段】穿孔ピン１４と、この穿孔ピンと共働して穿孔対象物を穿孔する貫通穴１５と、上記穿孔ピンを上下動させて上記貫通穴に出没させる穿孔機構３と、上記穿孔機構を駆動させる駆動手段５とを備え、上記穿孔対象物に設けられた磁気ストライブに書き込まれた情報を読み取り不可能に穿孔する穿孔装置であって、少なくとも、上記磁気ストライブの長さ方向中間部を幅方向に横断して穿孔できる１又は２以上の上記穿孔ピン及びこれらに対応する上記貫通穴を備えて構成した。【選択図】図３
2008023613.tif 000002
【特許請求の範囲】
【請求項１】
穿孔ピンと、この穿孔ピンと共働して穿孔対象物を穿孔する貫通穴と、上記穿孔ピンを上下動させて上記貫通穴に出没させる穿孔機構と、上記穿孔機構を駆動させる駆動手段とを備え、上記穿孔対象物に設けられた磁気ストライブに書き込まれた情報を読み取り不可能に穿孔する穿孔装置であって、
少なくとも、上記磁気ストライブの長さ方向中間部を幅方向に横断して穿孔できる１又は２以上の上記穿孔ピン及びこれらに対応する上記貫通穴を備えて構成されている、穿孔装置。
【請求項２】
上記磁気ストライブを切断できる断面矩形状の穿孔ピン及びこれに対応する貫通穴を設けた、請求項１に記載の穿孔装置。
【請求項３】
上記磁気ストライブを幅方向に０．５ｍｍ以下の間隔を開けて穿孔できる複数の穿孔ピン及びこれら穿孔ピンに対応する貫通穴を設けた、請求項１に記載の穿孔装置。
【請求項４】
上記穿孔ピンを断面円形に形成するとともに、上記穿孔穴を円筒内面状に形成した、請求項３に記載の穿孔装置。
【請求項５】
複数の穿孔ピン及び貫通穴を２列以上に配列して設けた、請求項１から請求項４のいずれかに記載の穿孔装置。
【請求項６】
上記穿孔ピン又は上記貫通穴の近傍に、上記磁気ストライブに書き込まれた情報を読み取り不可能にするマグネットを設けた、請求項１から請求項５のいずれかに記載の穿孔装置。
【請求項７】
上記穿孔対象物を上記穿孔ピンに対して位置決めできる位置決め手段を設けた、請求項１から請求項６のいずれかに記載の穿孔装置。
【請求項８】
形態の異なる２以上の穿孔対象物を位置決めできる位置決め手段を備える、請求項７に記載の穿孔装置。
【請求項９】
上記位置決め手段は、上記穿孔ピンの上記穿孔位置を表示する穿孔位置表示である、請求項７又は請求項８のいずれかにに記載の穿孔装置。
【請求項１０】
上記穿孔対象物の縁部に当接してこれを位置決めできる位置決め手段を備える、請求項７から請求項９のいずれかに記載の穿孔装置。
【請求項１１】
預金通帳の磁気ストライブを穿孔できる上記穿孔ピン及び位置決め手段を設けた、請求項７から請求項１０のいずれかに記載の穿孔装置。
【請求項１２】
キャッシュカード及び／又はクレジットカードの磁気ストライブを穿孔できる上記穿孔ピン及び位置決め手段を設けた、請求項７から請求項１１のいずれかに記載の穿孔装置。
【請求項１３】
ＩＣカードのＩＣチップを穿孔できる上記穿孔ピンを及び位置決め手段を設けた、請求項７から請求項１２のいずれかに記載の穿孔装置。
【請求項１４】
穿孔対象物に設けられた磁気ストライブを穿孔して、これに書き込まれた情報を読出不可能にする穿孔方法であって、
上記磁気ストライブの長さ方向中間部を幅方向に横断する１又は２以上の上記穿孔穴を形成する、磁気ストライブの穿孔方法。
【請求項１５】
上記磁気ストライブの幅方向に、０．５ｍｍ以下の間隔を開けて複数の穿孔穴を形成する、請求項１４に記載した磁気ストライブの穿孔方法。
【請求項１６】
上記磁気ストライブを穿孔するとともに磁気を作用させる、請求項１４又は請求項１５のいずれかに記載の穿孔方法。
【発明の詳細な説明】
【技術分野】
【０００１】
本願発明は、穿孔装置及び穿孔方法に関する。詳しくは、銀行の通帳やクレジットカード、さらに、ＩＣカード等に書き込まれた情報を読み出し不可能に穿孔する穿孔装置及び穿孔方法に関する。
【背景技術】
【０００２】
近年、銀行の取引がオンライン化され、現金自動支払い機等においては、磁気カード等の認証カードと暗証番号の組合せにより認証が行われるのが一般的である。また、預金通帳への取引等の記入も現金自動支払機等において行われるため、預金通帳にも認証情報が書き込まれている。
【０００３】
上記磁気カードや預金通帳に設けられる認証情報は、磁気ストライブを所定位置に貼着して設けられることが多い。上記磁気ストライブは、磁性粉体を塗着したシートから形成されており、上記磁性粉体を所定パターンで磁化することにより、認証情報を書き込めるように構成されている。
【０００４】
上記磁気ストライブの書き込み情報は読み取られ易く、また、同じ磁気ストライブを複製することも容易であるため、カード等が偽造される可能性も高い。このため、最近ではＩＣチップを埋め込んだＩＣカードや、生体認証カード等が提供されている。
【０００５】
上記のカード類は、シュレッダー等で粉砕すれば情報を読み取られる恐れはなくなる。一方、銀行通帳は取引情報を記載したものであり、長期間保存しなければならない。このため、従来は、使用後に取引情報等を読むことができる程度の穿孔を設けて、通帳を使用できなくしている。
【０００６】
【特許文献１】実開平７−５７４８
【発明の開示】
【発明が解決しようとする課題】
【０００７】
上記特許文献１に記載されたような穿孔機を用いて通帳を穿孔することにより、取引明細が追記できないことが容易に判別でき、また、現金自動支払機で使用できなくすることができる。
【０００８】
ところが、上記穿孔装置は、通帳が使用不可能であることを一見して判断でき、また通帳を現金自動支払い機等において使用できなくするものであり、通帳に設けられた磁気ストライブの情報を抹消するものではない。このため、取引が終了した通帳が悪用されると認証情報が盗み取られ、犯罪につながる恐れもある。一方、上記通帳を完全に破壊するか、あるいは、上記磁気ストライブの領域を破壊する程度に穿孔することも考えられるが、そうすると、通帳に記載された取引内容まで読み取ることができなくなる。
【０００９】
また、クレジットカードを更新した場合、それまでのカードを廃棄しなければならない。この場合においても、磁気ストライブの部分を破断しなければ、情報が読み取られる恐れがある。
【００１０】
本願発明は、上述の事情のもとで考え出されたものであって、銀行通帳等の取引記載を読み取ることができるとともに、預金通帳の磁気ストライブの書き込み情報を読み取り不可能に穿孔できる穿孔装置及び穿孔方法を提供するものである。
【課題を解決するための手段】
【００１１】
本願の請求項１に記載された発明は、穿孔ピンと、この穿孔ピンと共働して穿孔対象物を穿孔する貫通穴と、上記穿孔ピンを上下動させて上記貫通穴に出没させる穿孔機構と、上記穿孔機構を駆動させる駆動手段とを備え、上記穿孔対象物に設けられた磁気ストライブに書き込まれた情報を読み取り不可能に穿孔する穿孔装置であって、少なくとも、上記磁気ストライブの長さ方向中間部を幅方向に横断して穿孔できる１又は２以上の上記穿孔ピン及びこれらに対応する上記貫通穴を備えて構成したものである。
【００１２】
本願発明に係る穿孔装置は、穿孔ピンとこの穿孔ピンと共働して穿孔対象物を穿孔する貫通穴とを備えて構成される。預金通帳等の穿孔対象物は、離間状態にある上記穿孔ピンと上記貫通穴の間の空間に位置決めされ、上記穿孔ピンを上記貫通穴に押し込むことにより、上記穿孔ピンの断面に対応する部分が切除される。
【００１３】
上記穿孔ピンは上記穿孔機構によって上記穿孔穴に対して上下動させられる。上記穿孔機構として種々の機構を採用することができる。
【００１４】
また、上記穿孔機構は、駆動手段によって駆動される。上記駆動手段も限定されることはなく、たとえば、手動の装置においては回動可能なアーム部を設け、このアーム部を回動操作することにより、上記穿孔ピンを上下動させるように構成することができる。また、電動モータ等の動力を用いて上記駆動手段を構成することもできる。
【００１５】
一般に、キャシュカード等に設けられる上記磁気ストライブは、磁性体を所定の幅でバーコード状に磁化することにより情報が書き込まれる。したがって、情報が記憶された最小単位の幅で、上記磁気ストライブを横断するように穿孔すると、情報の一部が削除されて、上記磁気ストライブから情報を読み出せなくなる。なお、上記磁気ストライブに複数のトラックが設けられることもあるが、上記磁気ストライブを横断、すなわち、磁気ストライブの全幅にわたるように穿孔することにより、上記複数のトラックに記載された情報も読み出せなくなる。
【００１６】
上記情報を記憶する磁化領域の最小単位幅は記録方式によって異なる。このため、所定の銀行等で使用される磁気ストライブに対応した幅で穿孔するように設定すればよい。なお、磁気ストライブの上記最小単位幅は通常の光学方式バーコードの単位幅以下である。したがって、上記光学方式のバーコードの単位幅あるいは穿孔ピンを製作可能な最小幅で磁気ストライブを横断して穿孔すれば、ほとんどの磁気ストライブ内の情報を読み出せなくなる。また、磁気ストライブの一部が消滅するため、他の部位から情報を復元するのも困難となる。穿孔ピンを容易に製作でき、また、穿孔する際に要する力を小さくするため、０．５〜３ｍｍ程度の幅で、上記磁気ストライブを幅方向に穿孔するように構成するのが好ましい。
【００１７】
一方、本願発明に係る穿孔装置においては、非常に小さい幅で磁気ストライブを横断するように穿孔するため、通帳に記載された取引明細内容まで識別不可能になることはない。このため、通帳の取引内容を識別できる程度の穿孔で、上記磁気ストライブの認証情報等を読出不可能にすることが可能となる。
【００１８】
上記穿孔ピンの数は特に限定されることはない。請求項２に記載した発明のように、上記磁気ストライブを所定幅で切断できる断面矩形状の穿孔ピン及びこれに対応する貫通穴を設けることができる。上述したように、上記穿孔ピンの縦横の寸法は磁気ストライブの記録方式に応じて設定することができる。また、セキュリティ性を高めるため、複数の穿孔ピンで、磁気ストライブの複数箇所を穿孔できるように構成してもよい。
【００１９】
磁気ストライブの形態は、銀行等によって異なり一定ではない。非常に幅方向寸法の大きなものもある。このような大きな磁気ストライブにおいては、幅方向を連続して全て切り欠くように穿孔すると、取引明細が判読しにくくなる恐れがある。また、大きな長さを有する穿孔ピンを製作するのは困難である。さらに、一度に大きな穴を開けるため、穿孔するのに要する力も大きくなる。
【００２０】
本願の請求項３に記載した発明は、上記磁気ストライブを幅方向に０．５ｍｍ以下の間隔を開けて穿孔できる複数の穿孔ピン及びこれら穿孔ピンに対応する貫通穴を設けたものである。
【００２１】
本願発明者らの研究の結果、磁気ストライブの全幅を連続的に切除しなくても、０．５ｍｍ以下の間隔で、磁気ストライブを横断する複数の穿孔を設けた場合にも、書き込まれた情報を読み出せなくなることが判明した。
【００２２】
複数の穿孔ピンを用いて穿孔することにより、通帳等の複数の穿孔穴間が繋がることになり、取引明細が判読不可能になる恐れも少なくなる。このため、大きな幅寸法を備える磁気ストライブに対応することができる。また、穿孔ピンを容易に製作することもできる。さらに、穿孔ピンを順次貫通穴に挿入するように穿孔機構を構成することにより、穿孔するのに要する力を小さくすることも可能となる。
【００２３】
上記穿孔ピンの形態は特に限定されることはないが、請求項４に記載した発明のように、上記穿孔ピンを断面円形に形成するとともに、上記穿孔穴を円筒内面状に形成するのが好ましい。また、各穿孔ピンの直径も限定されることはないが、製作上及び穿孔するのに要する力を小さくするために、３ｍｍ以下に設定するのが好ましい。
【００２４】
本願の請求項５に記載した発明は、穿孔ピン及び貫通穴を２列以上に配列して設けたものである。
【００２５】
２列以上に配列することにより、磁気ストライブの複数の箇所を横断するように穿孔することができるため、より確実に情報を破壊することができる。また、穿孔領域が大きくなるため、穿孔ミスを防止することができる。
【００２６】
さらに、複数例の穿孔ピンを千鳥状に配置して、磁気ストライブの読み取り方向（長手方向）に重なるようにすると、いずれの部位においても情報が切断されることになる。このため、磁気ストライブの情報を確実に読み取り不可能にすることができる。
【００２７】
請求項６に記載した発明は、上記穿孔ピン又は上記貫通穴の近傍に、上記磁気ストライブに書き込まれた情報を読み取り不可能にするマグネットを設けたものである。
【００２８】
請求項１から請求項６に記載した発明は、磁気ストライブの一部を切除することにより、情報を読出し不可能にするものではあるが、切除された部分以外の部分には、情報がそのまま保持されていることになる。このため、切除部分の記録内容が判明すると磁気ストライブの情報を読み取られる恐れがある。
【００２９】
請求項６に記載した発明は、磁気ストライブに磁力を作用させることにより、記録された情報を攪乱した上で切除できるため磁気ストライブの情報を完全に読み出せなくなる。したがって、セキュリティ性が格段に向上する。
【００３０】
本願発明では、上記穿孔ピン又は貫通穴の近傍にマグネットを配置しているため、上記穿孔操作を行うだけで、磁気ストライブに磁気を作用させることができる。しかも、上記穿孔ピン及び貫通穴は、鉄等の磁性体から形成されているため、上記穿孔ピンを介して磁気ストライブに強力な磁力を直接作用させることも可能となり、さらに効果が高まる。
【００３１】
上記磁気ストライブの情報を攪乱できる程度であれば、上記マグネットの磁力の強さは限定されることはない。確実に情報を攪乱するには、１５００ガウス以上の磁力を磁気ストライブの表面に作用させるのが好ましい。
【００３２】
本願の請求項７に記載した発明は、上記穿孔対象物を上記穿孔ピンに対して位置決めできる位置決め手段を設けたものである。
【００３３】
穿孔ピンを広い範囲設ければより確実に磁気ストライブを穿孔できるが、穿孔領域が大きくなるほど穿孔するために要する力が大きくなり、取り扱い性が低下する。また、穿孔ピンの本数も多くなり、製造コストを増大させる。このため、本願発明では、穿孔領域をできるだけ小さくするとともに、穿孔対象物を上記穿孔ピンに対して位置決めできる位置決め手段を設けている。磁気ストライブを横断するように穿孔できるように位置決めできれば、種々の位置決め手段を採用することができる。
【００３４】
さらに、請求項８に記載した発明のように、形態の異なる２以上の穿孔対象物を位置決めできる位置決め手段を備えるように構成するのが好ましい。たとえば、預金通帳とキャッシュカードの双方の磁気ストライブを穿孔できるように、それぞれ位置決めできる位置決め手段を設けることができる。
【００３５】
上記位置決め手段として、請求項９に記載した発明のように、上記穿孔ピンの穿孔位置を表示する穿孔位置表示を採用することができる。たとえば、上記穿孔対象物を上記穿孔ピンと上記貫通穴の間の空間へ挿入する際に、上記穿孔位置を示す範囲や矢印等をケーシングに設けて位置決め手段とすることができる。使用者が、上記矢印等を目印に磁気ストライブを穿孔装置に挿入すればよい。
【００３６】
また、請求項１０に記載した発明のように、上記穿孔対象物の縁部に当接してこれを位置決めする位置決め手段を採用することができる。
【００３７】
たとえば、穿孔対象物を挿入する隙間の奥部に、穿孔対象物の磁気ストライブが上記穿孔ピンの位置に対応するように位置決めできる壁部や段部を設けることができる。
【００３８】
本願発明が適用される穿孔対象物は、特に限定されることはない。たとえば、請求項１１に記載した発明のように、預金通帳の磁気ストライブを穿孔できる上記穿孔ピン及び位置決め手段を設けて構成することができる。また、請求項１２に記載した発明のように、キャッシュカード及び／又はクレジットカードの磁気ストライブを穿孔できる上記穿孔ピン及び位置決め手段を設けて構成することができる。
【００３９】
さらに、本願発明は、磁気ストライブを備えるもののみに限定されるものではなく、請求項１２記載した発明のように、ＩＣカードのＩＣチップを穿孔できる、上記穿孔ピン及び位置決め手段を設けて構成することもできる。
【００４０】
ＩＣチップは、磁気ストライブより情報が不正に読み出される危険生は低いが、大量の情報が記憶されているため、万一情報が読み出されると被害も大きくなる。また、ＩＣの読み出し装置が悪用される恐れもある。このため、ＩＣカード廃棄する場合にも注意が必要である。
【００４１】
ＩＣカードに設けられるＩＣチップは、磁気ストライブと配置及び形態が異なる。このため、ＩＣカード用の位置決め手段を設けるのが好ましい。なお、ＩＣを読み取り不可能にするには、ＩＣ領域に一つの穿孔を形成するだけで足りる。また、ＩＣチップと磁気ストライブの双方を備えるカードもある。したがって、上記ＩＣチップに対応する位置と、上記磁気ストライブの双方の位置に、カードを位置決めできる位置決め手段を設けるのが好ましい。なお、磁気ストライブはある程度の長さで設けられることが多い一方、ＩＣチップは矩形板状のＩＣチップをカードの縁部から所定の距離を開けて配置されていることが多。このため、上記ＩＣチップの位置を基準として上記段部等の位置を設定すると、上記ＩＣチップと上記磁気ストライブの双方に適用できる位置決め手段を構成できる。
【００４２】
本願の請求項１４に記載した発明は、穿孔対象物に設けられた磁気ストライブを穿孔して、これに書き込まれた情報を読出不可能にする穿孔方法であって、上記磁気ストライブの長さ方向中間部を幅方向に横断する１又は２以上の上記穿孔穴を形成する、磁気ストライブの穿孔方法に係るものである。
【００４３】
本願の請求項１５に記載した発明は、上記磁気ストライブの幅方向に、０．５ｍｍ以下の間隔を開けて複数の穿孔穴を形成する、磁気ストライブの穿孔方法に係るものである。
【００４４】
本願の請求項１６に記載した発明は、上記磁気ストライブに磁気を作用させるように構成した穿孔方法に係るものである。
【発明を実施するための最良の形態】
【００４５】
以下、本願発明に係る実施の形態を図に基づいて具体的に説明する。
【００４６】
図１に穿孔装置１の側面図、図２に正面図を示す。穿孔装置１は、ベース部２と、上記ベース部２に取り付けられ、内部に穿孔機構３が設けられる側板４，４と、上記側板４，４に回動可能に保持されて上記穿孔機構を駆動するアーム部５とを備えて構成される。
【００４７】
図３に、図２における III−III 線に沿う断面図を示す。
【００４８】
上記ベース部２は、矩形状の金属厚板材から形成されており、前部には、穿孔した切除片を収容する穴部６が上下に貫通状に形成されている。上記穴部６の下部開口は、樹脂で形勢された蓋部材７が着脱可能に装着されている。上記ベース部２の下面には、ゴムのスベリ止め８，８が貼着されている。
【００４９】
上記ベース部２の後部上面には、上記側板４，４の後方下部を連結するように一体成形された連結部４ａが、ネジ１０，１０よって一体的に連結されている。
【００５０】
上記穿孔機構３は、上記穴部６の上部開口を覆うように連結された穿孔プレート１１と、上記穿孔プレート１１の上面に対して所定隙間Ｈをあけて保持された案内プレート１２と、上記アーム部５の回動操作によって、上下動させられる押圧部材１３と、上記押圧部材１３の内部に頭部が保持された穿孔ピン１４とを備えて構成されている。
【００５１】
上記穿孔プレート１１には、各穿孔ピン１４に対応し、上記穴部６に連通する貫通穴１５形成されている。また、上記穿孔プレート１１には、中間部に段部１６が設けられており、穿孔対象物を上記段部１６に係止して位置決めできるように構成されている。
【００５２】
上記案内プレート１２には、上記穿孔ピン１４の先端部が挿入された案内穴１７が形成されている。上記案内穴１７は、上記貫通穴１５に対応する位置に形成されており、上記穿孔ピン１４を位置決め案内して上記貫通穴１５に突入できるように摺動可能に保持している。上記案内プレート１２の、上記案内穴１７の前部には、マグネット装着穴１８が形成されており、保持部材１９の下端部に保持されたマグネット２０が、下面を上記隙間Ｈに露出するように保持されている。
【００５３】
上記穿孔プレート１１と上記案内プレート１２とは、ネジ２１を用いて上記ベース部２の上面に連結されている。上記穿孔プレート１１と上記案内プレート１２との間には、上記段部１６によって形成される２段階の隙間Ｈ１，Ｈ２が形成されている。
【００５４】
上記押圧部材１３は、両縁部に上記側板４の内面に沿う一対の対向壁部２１，２１が一体形成されており、上記対向壁部２１，２１の前縁部から水平方向に延びる長穴２２が形成されている。上記押圧部材１３は、上記案内プレート１２の上面からスペーサ部材２３を介して所定高さに設けられた規制部材２４によって上方への移動が規制されている。
【００５５】
上記アーム部５は、前端部が上記側板４，４に掛け渡し状に保持される回動軸２５に回動可能に保持されているとともに、バネ２６によって、上方に向けて（図３における反時計回り方向）弾力付勢されている。
【００５６】
上記アーム部５の前部下面には、略コ字状部材２７がネジ２８によって連結されている。この略コ字状部材２７の対向壁部２７ａ，２７ａに、押圧バー２９が掛け渡し状に保持されている。上記押圧バー２９の両端部は、上記押圧部材１３の対向壁部２１，２１に形成された上記長穴２２，２２にそれぞれ係合させられている。
【００５７】
図３の状態から、アーム部５を矢印Ｆ方向に回動操作すると、上記押圧バー２９が上記長穴２２の下縁部を押圧して、上記押圧部材１３を下方へ移動させる。これに伴い、上記穿孔ピン１４が、上記案内穴１７に案内されて下方に移動し、上記隙間Ｈに突出して位置決めされた穿孔対象物を貫通して、上記貫通穴１５に突入させられる。上記穿孔ピン１４によって切除された切除片は、上記穴部６に収容される。
【００５８】
一方、上記アーム部５に加える力を解除すると、上記バネ２６の弾力によって、上記アーム部５が上方に回動こさせられ、上記押圧バー２９が上記長穴２２の上縁部を押圧して上記押圧部材１３が上方に引上げられ、これに伴い、上記穿孔ピン１４が上方に移動させられて、穿孔対象物から離間させられる。
【００５９】
図６に示すように、本実施の形態では、通帳３１等に貼着された磁気ストライブ３２を幅方向に横断して穿孔できる９本の穿孔ピン１４及びこれに対応する貫通穴１５を一列状に設けている。なお、本実施の形態では、理解を容易にするため、上記磁気ストライブ３２を目視できるバーコード状に磁化した例を示している。なお、実際には、上記磁気ストライブ３２の情報は視認できないように形成されている。また、書き込まれ情報もバーコード状であるとは限らない。
【００６０】
図１及び図２に示すように、本実施の形態では、上記側板４，４の前方空間を封止する樹脂製の封止部材３３が装着されており、この封止部材３３及び側板４，４の表面に、上記穿孔ピン１４の穿孔位置を示す「パンチ範囲」の表示３４、及び上記マグネット２０の位置を示す「消磁範囲」の位置決め表示３５が設けられている。
【００６１】
図６に示すように、上記パンチ範囲の表示３４に合わせて、上記通帳３１の磁気ストライブ３２を上記隙間Ｈに挿入する。通帳３１の場合、穿孔装置の正面の上記表示に合わせて、隙間Ｈの最奥部の通帳位置まで挿入することにより、上記磁気ストライブ３２の長手方向中央部が、上記穿孔ピン１４の下方に位置するように設定されている。上記位置に通帳３１を位置決めして、上記アーム部５を押し下げることにより、上記磁気ストライブ３２を穿孔することができる。
【００６２】
図７及び図８に、上記穿孔装置１で、磁気ストライブを穿孔した穴３５の状態を示す。本実施の形態では、直径Ｄ＝１．８ｍｍの９本の穿孔ピン１４が、Ｓ＝０．４ｍｍの間隔をあけて一列状に配置されており、Ｗ２＝１９．４ｍｍの範囲に渡って穿孔できるように構成されている。一方、上記磁気ストライブ３２の幅が、Ｗ１＝１５ｍｍに設定されており、上記９本の穿孔ピン１４によって、上記磁気ストライブ３２を幅方向に横断して穿孔することができる。
【００６３】
上記各穿孔ピン１４の間隔を０．４ｍｍに設定することにより、磁気ストライブ３２を幅方向に横断する穿孔領域の一部に繋がった部分があっても、上記磁気ストライブ３２の情報を読み出せなくなる。また、上記穿孔位置を磁気ストライブ３２の長手方向中央部に設定することにより、磁気ストライブ３２の情報書き込み部分を確実に穿孔することができる。
【００６４】
図９に、本実施の形態に係る穿孔装置１を用いて磁気ストライブ３６が貼着されたカード３７を穿孔する状態を示す。この図に示すように、上記カード３７の磁気ストライブ３６を、上記図２に示すパンチ範囲の表示３４に沿って、上記隙間Ｈに挿入する。本実施の形態では、上記穿孔プレート１１にカード位置決め用の段部１６が設けられているため、穿孔位置を上記磁気ストライブ３７の中央部に容易に位置決めすることができる。
【００６５】
さらに、図１０に示すように、本実施の形態に係る穿孔装置１を、ＩＣカード４０のＩＣ４１を穿孔するように構成することもできる。この場合、上記段部１６を、カードの縁部からＩＣ領域までの長さに設定することにより対応できる。特に、カード４０の上記ＩＣ４１の位置に合わせて上記段部１６を設定することにより、磁気ストライブ３６の中央部を穿孔できる位置決め手段とすることができる。
【００６６】
上記位置決め手段は、各銀行等で使用されるカードや通帳の磁気ストライブの位置及び大きさに応じて設定することができる。
【００６７】
図１１及び図１２に、第２の実施の形態を示す。この実施の形態は、本願発明に係る穿孔装置を、３列に渡って配置される複数の穿孔ピン１４を備えて構成したものである。
【００６８】
図１２に示すように、本実施の形態では、各列の穿孔ピン１４の間隔Ｓを、穿孔ピン１４の直径Ｄより小さく設定している。この構成を採用すると、読み取り方向（Ｒ方向）に対して、いずれの幅方向位置においても穿孔部分が存在することになる。したがって、よりセキュリティの高い穿孔を施すことが可能となる。
【００６９】
本願発明は、上述の実施の形態に限定されることはない。実施の形態では、断面円形状の複数の穿孔ピンを一列状に配列することにより、磁気ストライブの幅方向に横断する領域を穿孔したが、上記磁気ストライブの幅以上の長さを備える断面矩形状の穿孔ピンを採用することもできる。
【００７０】
また、実施の形態では、各穿孔対象物を位置決め手段を固定的に設けたが、移動可能に構成して、種々の穿孔対象物に適用できるように構成することもできる。
【図面の簡単な説明】
【００７１】
【図１】本願発明に係る穿孔装置の側面図である。
【図２】図１に示す穿孔装置の正面図である。
【図３】図２における III−III 線に沿う断面図である。
【図４】図３に示す穿孔装置でアーム部を押し下げて穿孔する状態を示す断面図である。
【図５】図１に示す穿孔装置の封止部材を除去した場合の拡大正面図である。
【図６】図１に示す穿孔装置で通帳の磁気ストライブを穿孔する操作を説明する説明図である。
【図７】図６に示す穿孔装置で、磁気ストライブを穿孔した状態を示す説明図である。
【図８】穿孔装置よって形成される穴の状態を示す拡大図である。
【図９】図１に示す穿孔装置で磁気カード磁気ストライブを穿孔する操作を説明する説明図である。
【図１０】図１に示す穿孔装置でＩＣカードを穿孔する操作を説明する説明図である。
【図１１】本願発明の第２の実施の形態を示す図であり、図７に相当する説明図である。
【図１２】図１１に示す穴の状態を示す拡大図である。
【符号の説明】
【００７２】
１  穿孔装置
３  穿孔機構
５  アーム部（駆動手段）
１４  穿孔ピン
１５  貫通穴
【図１】
2008023613.tif 000003
【図２】
2008023613.tif 000004
【図３】
2008023613.tif 000005
【図４】
2008023613.tif 000006
【図５】
2008023613.tif 000007
【図６】
2008023613.tif 000008
【図７】
2008023613.tif 000009
【図８】
2008023613.tif 000010
【図９】
2008023613.tif 000011
【図１０】
2008023613.tif 000012
【図１１】
2008023613.tif 000013
【図１２】
2008023613.tif 000014